(57)【要約】【課題】本発明は、切替先ＯＳＵが切替元ＯＳＵから管理テーブルを引き継ぐ場合に比べ、ＯＳＵ切替処理時間を削減しつつ、切替元ＯＳＵ配下のＯＮＵに対するサービス断を回避することを目的とする。【解決手段】本願発明の光通信システムは、ＯＳＵおよび集線スイッチがマルチキャストのプロキシ機能を持つＰＯＮシステムにおいて、ＯＳＵ切替時に、集線スイッチを切替後、切替先ＯＳＵへ配信すべき全てのチャネルを切替先ＯＳＵの管理テーブルの「ダミーＯＮＵ」欄にダミーＯＮＵの視聴状況として登録する。【選択図】図６
2015073194.tif 000002
【特許請求の範囲】
【請求項１】
複数のＯＳＵ（Ｏｐｔｉｃａｌ  Ｓｕｂｓｃｒｉｂｅｒ  Ｕｎｉｔ）と、
経路を切り替えることで前記ＯＳＵのいずれかと接続可能である少なくとも１のＯＮＵ（Ｏｐｔｉｃａｌ  Ｎｅｔｗｏｒｋ  Ｕｎｉｔ）と、
を備える光通信システムであって、
各ＯＳＵは、自己に接続されている各ＯＮＵの配信チャネルのリストを含むマルチキャストテーブル（以下、ＯＳＵテーブル）を備え、
前記ＯＳＵテーブルは、いずれのＯＳＵとも接続されていない仮のダミーＯＮＵの配信チャネルのリストを含む、
ことを特徴とする、光通信システム。
【請求項２】
マルチキャスト配信するデータを、配信するＯＮＵに応じたＯＳＵへ振り分ける集線スイッチをさらに備え、
前記集線スイッチは、ＯＳＵに接続されている各ＯＮＵの配信するチャネルのリストをＯＳＵごとに格納するマルチキャストテーブル（以下、集線スイッチテーブル）を備え、
１の前記ＯＳＵ（以下、切替元ＯＳＵとする。）から他の前記ＯＳＵ（以下、切替先ＯＳＵとする。）へ経路を切り替える際に、前記集線スイッチテーブルの前記切替先ＯＳＵのチャネルのリストを前記切替元ＯＳＵのチャネルのリストから引継ぐと供に、前記切替先ＯＳＵにおける前記ＯＳＵテーブル（以下、切替先ＯＳＵテーブル）のダミーＯＮＵに対するチャネルのリストを更新させるための更新指示を前記切替先ＯＳＵへ送信する、
ことを特徴とする請求項１記載の光通信システム。
【請求項３】
前記集線スイッチは、前記集線スイッチテーブルの前記切替先ＯＳＵの配信チャネルのリストを前記切替元ＯＳＵの配信チャネルのリストから引き継いだことを契機に、前更新指示を前記切替先ＯＳＵへ送信し、
前記切替先ＯＳＵは、受信した前記更新指示に従って、前記切替先ＯＳＵテーブルの前記ダミーＯＮＵに対する配信チャネルのリストを更新し、ＯＮＵとの通信を開始する、
ことを特徴とする、請求項２記載の光通信システム。
【請求項４】
前記集線スイッチは、前記更新指示を前記切替先ＯＳＵへ送信し、前記集線スイッチテーブルにおける前記切替先ＯＳＵの配信チャネルのリストを前記切替元ＯＳＵの配信チャネルのリストから引き継ぎが完了すると登録完了通知を発行し、
前記切替先ＯＳＵは、前記集線スイッチから受信した前記更新指示に従って、前記切替先ＯＳＵテーブルの前記ダミーＯＮＵに対する配信チャネルのリストを更新し、前記集線スイッチからの前記登録完了通知の発行を契機にＯＮＵとの通信を開始する、
ことを特徴とする、請求項２記載の光通信システム。
【請求項５】
前記集線スイッチは、前記集線スイッチテーブルの前記切替先ＯＳＵの配信チャネルのリストを前記切替元ＯＳＵの配信チャネルのリストから引き継ぎ開始後、前記更新指示を前記切替先ＯＳＵへ送信し、前記集線スイッチテーブルにおける前記切替先ＯＳＵの配信チャネルのリストを前記切替元ＯＳＵの配信チャネルのリストから引き継ぎが完了すると登録完了通知を発行し、
前記切替先ＯＳＵは、受信した前記更新指示に従って、前記切替先ＯＳＵテーブルの前記ダミーＯＮＵの配信チャネルのリストを更新し、前記切替先ＯＳＵテーブルの更新及び前記集線スイッチからの前記登録完了通知の発行が共に完了したことを契機にＯＮＵとの通信を開始する、
ことを特徴とする、請求項２記載の光通信システム。
【請求項６】
請求項１から５のいずれかに記載のＯＳＵ。
【請求項７】
請求項１から５のいずれかに記載の集線スイッチ。
【発明の詳細な説明】
【技術分野】
【０００１】
本発明は、光通信システムに関し、特にＯＳＵを冗長化したＰＯＮシステムに関する。
【背景技術】
【０００２】
図１は、現在のアクセスネットワークの代表的な構成であるＰａｓｓｉｖｅ  Ｏｐｔｉｃａｌ  Ｎｅｔｗｏｒｋ（ＰＯＮ）１１とＬａｙｅｒ  ２  ｓｗｉｔｃｈ（Ｌ２ＳＷ）１２からなる構成を示すものである。ＰＯＮ１１は、Ｏｐｔｉｃａｌ  Ｌｉｎｅ  Ｔｅｒｍｉｎａｌ（ＯＬＴ、局側終端装置）１４と光カプラ１８と光ファイバ１９とＯｐｔｉｃａｌ  Ｎｅｔｗｏｒｋ  Ｕｎｉｔ（ＯＮＵ、加入者終端装置）１７とで構成される。ＯＬＴ１４は、複数のＯｐｔｉｃａｌ  Ｓｕｂｓｃｒｉｂｅｒ  Ｕｎｉｔ（ＯＳＵ）１５を収容するとともに、それらのＯＳＵ１５を制御する制御盤（ＣＯＮＴ）２０を具備する。また、各ＯＳＵ１５は複数（例えば３２）のＯＮＵ１７を接続する。ＰＯＮ１１ではＯＳＵ１５およびＯＳＵ１５−光カプラ１８間の光ファイバ１９を複数のＯＮＵで共有するため、低コストにサービスを提供できる。
【０００３】
Ｌ２ＳＷ１２は、ＰＯＮ１１およびコアネットワーク１３へ接続するポートを多数備えており、ＰＯＮ１１側の各ポートは１本の配線で１台のＯＳＵ１５に接続される。Ｌ２ＳＷ１２は集線機能を備えるため、ＰＯＮ側ポートに接続された配線数よりも少ない数の配線がコアネットワーク１３側のポートに接続され、ＯＳＵ１５からの配線を集線してコアネットワーク１３へ繋げることになる。これゆえ、このＬ２ＳＷ１２を集線スイッチ４０と称する。
【０００４】
集線スイッチ４０は上位から下りフレームを受信すると、そのフレームに付けられた識別子（例えばＶｉｒｔｕａｌ  ＬＡＮ  Ｉｄｅｎｔｉｆｉｅｒ（ＶＩＤ））を読む。集線スイッチ４０の各ＰＯＮ側ポートには予め、対応するＶＩＤ番号が登録されているので、集線スイッチ４０は受信した下りフレームを、どのＰＯＮ側ポートに振り分ければよいか分かる。そして、各ＰＯＮ側ポートに登録されたＶＩＤ番号に対応するＯＮＵ１７が、そのＰＯＮ側ポートに接続されるＯＳＵ１５を介して収容されているので、任意のＰＯＮ側ポートに振り分けられた任意のＶＩＤ番号の下りフレームは、ＯＳＵ１５を経由して、該当のＯＮＵ１７へ届けられる。一方、各ＯＳＵ１５からの上りフレームに対しては、それぞれ受信した後、任意のスケジューリング方法により決定された送信順位に従って、集線スイッチから上位へ出力される。
【０００５】
図１に示した例では、集線スイッチ４０のＰＯＮ側ポートとＯＳＵ１５との接続は１：１の関係にあり、また、集線スイッチ４０は複数のＯＬＴ１４を収容可能な数のＰＯＮ側ポートを備えているので、例えば最大限にＯＬＴ１４を収容する場合、それら全ＯＬＴ１４に収容される全ＯＳＵ１５の数と同じ数の配線が集線スイッチ４０−ＯＬＴ１４間で結ばれる。
【０００６】
なお、上記の説明では、集線スイッチ４０は、ＯＬＴ１４に外付けするものとしたが、ＯＬＴ１４に内蔵してもよい。さらに、複数のＯＬＴ１４で、集線スイッチ４０を共有してもよい。図１の構成は、集線スイッチ４０をＯＬＴ１４の外付けとし、複数のＯＬＴ１４で共有したものである。また、集線スイッチ４０は、多段構成としてもよい。
【０００７】
このような構成のアクセスネットワークの下で、現在、様々なサービスが普及している。例えばマルチキャストフレームの転送による映像配信サービスは、図２に示すネットワーク構成により実現されている。ＯＮＵ１７の配下に映像サービスを受信するユーザ端末（ホスト）２１が接続され、集線スイッチ４０の上位にマルチキャストルータ３１を介して映像配信サーバ３２が接続される。ここで、１台のＯＮＵ１７に接続されるホスト２１は複数台でもよい。映像配信サーバ３２は、マルチキャストルータ３１へ向けて常時、各々の番組（チャネル（Ｃｈ））に相当する各々のマルチキャストフレームを流している。マルチキャストルータ３１は、ＯＮＵ１７、ＯＳＵ１５及び集線スイッチ４０を介してホスト２１から視聴要求のあったチャネルのマルチキャストフレームを、視聴要求元のホスト２１を収容するＯＳＵ１５へ、集線スイッチ４０を介して送信する。ＯＳＵ１５は、ＯＳＵ１５−ＯＮＵ１７間におけるマルチキャストフレームの転送を制御するための、マルチキャストテーブル（以下、テーブルとする）を保持している。このテーブルには、自配下ＯＮＵ１７とそれら各ＯＵＮ１７への配信チャネルの対応が記されており、ＯＳＵ１５はこのテーブルにより、自配下のどのＯＮＵ１７にどのチャネルのマルチキャストフレームを配信するべきなのかを把握している。このテーブルは、ＯＳＵ１５がＯＮＵ１７から視聴要求や離脱要求を受信するとその内容の通りに更新され、必要に応じてＯＳＵ１５は、集線スイッチ４０を介してマルチキャストルータへ視聴要求や配信停止のメッセージを送信する。
【０００８】
これらの視聴要求や離脱要求の信号は、マルチキャスト通信で一般的に普及しているＩＧＭＰ（Ｉｎｔｅｒｎｅｔ  Ｇｒｏｕｐ  Ｍａｎａｇｅｍｅｎｔ  Ｐｒｏｔｏｃｏｌ）やＭＬＤ（Ｍｕｌｔｉｃａｓｔ  Ｌｉｓｔｅｎｅｒ  Ｄｉｓｃｏｖｅｒｙ）に相当する。例えばＭＬＤの動作の一つとして、マルチキャストルータ３１は、マルチキャストレシーバの存在を確認するために定期的にＧｅｎｅｒａｌ  Ｑｕｅｒｙを送信することが知られているが、この動作は上述のＰＯＮシステムにおける映像配信サービスにも適用されている。テーブルを有するＯＳＵ１５は、定期的にＧｅｎｅｒａｌ  Ｑｕｅｒｙを配下の全ＯＮＵ１７へ送信し、Ｇｅｎｅｒａｌ  Ｑｕｅｒｙを受信したＯＮＵ１７は、配信の継続を希望するチャネルをＯＳＵ１５へ返答する。Ｇｅｎｅｒａｌ  Ｑｕｅｒｙを送信したＯＳＵ１５は、ＯＮＵ１７からの返答に基づき、自身のテーブルを更新する。返答のなかったＯＮＵ１７や継続希望のなかったチャネルに対しては、そのＯＮＵ１７宛の配信またはそのチャネルの配信を停止するため、上位へ該当チャネルのマルチキャストフレームの配信停止要求を送信する。
【０００９】
ＯＳＵ１５からＯＮＵ１７へのマルチキャストフレームの配信方法としては、ＯＳＵ１５が配下の全ＯＮＵ１７へブロードキャストで配信する方法が知られている。この方法では、全ＯＮＵ１７にマルチキャストフレームが到着するため、視聴を希望していないチャネルのマルチキャストフレームがＯＮＵ１７へ届く場合がある。そのため、各ＯＮＵ１７は必要なチャネル（配下のホストが視聴要求しているチャネル）のマルチキャストフレームのみをホスト２１へ転送し、不要なチャネルのマルチキャストフレームは廃棄する必要がある。これを実現するためのフィルタ機能を各ＯＮＵは具備している。ＯＳＵ１５は、ＯＮＵ１７を介してホスト２１から任意のチャネルの視聴要求があった場合、該当チャネルのマルチキャストフレームのみを透過し、他のマルチキャストフレームは廃棄するよう、そのＯＮＵ１７のフィルタの開閉を設定することによって、該当のホスト２１は所望の映像を視聴できる。このようなＯＮＵフィルタの設定を非特許文献１記載のＧＥ−ＰＯＮ（Ｇｉｇａｂｉｔ  Ｅｔｈｅｒｎｅｔ（登録商標）ＰＯＮ）システムでは、ＯＳＵ１５が配下のＯＮＵ１７に対して該当フィルタのＯｐｅｎまたはＣｌｏｓｅを指示したＯＡＭ（Ｏｐｅｒａｔｉｏｎ，  Ａｄｍｉｎｉｓｔｒａｔｉｏｎ  ａｎｄ  Ｍａｉｎｔｅｎａｎｃｅ）フレームを送信することによって行われる。ここでＯＡＭフレームは、ＰＯＮ区間の制御用に使われるフレームである。
【００１０】
一般的に、アクセスネットワークを構成する運用中の装置に機能拡充や不具合修正などの必要性が生じた場合、オペレーション操作を通して該当装置のファームウェア（ＦＷ）を更新することが行われる。しかしこの際に、該当装置の再起動を伴うため、例えばＯＳＵ１５のＦＷを更新する場合には配下の全ＯＮＵ１７の通信が断してしまう。上述のような方式をとおして普及している映像配信サービスでは特に、安定的にサービスを供給することが重要なため、装置のＦＷ更新をサービス断なしに完了することが求められる。これを実現する方法として、ＯＳＵ１５を冗長化したＰＯＮプロテクションの適用は有効である。ＰＯＮプロテクションについて下記に述べる。
【００１１】
ＰＯＮを構成する装置およびファイバの一部または全部を冗長化することをＰＯＮプロテクションといい、冗長箇所や冗長方法に応じて様々な方式がある。例えば正常系装置Ｎ台に対して予備系装置１台を備えるというように、正常系と予備系の対応がＮ：１の方式をＮ：１プロテクションと呼び、非特許文献２においてその方式が提案されている。
【００１２】
図３にＮ：１プロテクションの構成例を示す。Ｎ台の正常系ＯＳＵ１５および１台の予備系ＯＳＵ１５が収容された１台のＯＬＴ１４と、１台のＮ×１光スイッチ１６と、Ｎ個のＢ：２光カプラ１８と、Ａ×Ｎ台以下のＯＮＵ１７とが用いられる。ここで、ＡはＯＳＵ１台あたりの最大ＯＮＵ収容数であり、Ｂは１≦Ｂ≦Ａである。但し、コストを考慮しない場合、技術的には、Ｂ＞Ａも可能である。Ｎ台の正常系ＯＳＵは、Ｎ個のＢ：２光カプラ１８の２側における片方のポートに１本の幹線ファイバでそれぞれ接続され、１台の予備系ＯＳＵ１５はＮ×１光スイッチ１６の１側（入力側）に１本の光ファイバで接続される。Ｎ個のＢ：２光カプラ１８の２側におけるもう片方のポートは、Ｎ×１光スイッチ１６のＮ側（出力側）にそれぞれ１本の予備系幹線ファイバで接続され、Ｂ：２光カプラ１８のＢ側は、最大Ｂ本の光ファイバを介して最大Ｂ台のＯＮＵ１７に繋がる。なお、Ｎ×１光スイッチ１６のＮ側には、予備系幹線ファイバとの接続を想定したＮ個のポートとは別に、光ファイバに接続されない開放ポート（ＮＣポートとする）を１個備えるとする。
【００１３】
初期構築時、予備系ＯＳＵ１５からの出力光が、Ｎ×１光スイッチ１６および予備系幹線ファイバを経てＢ：２光カプラ１８より下位部分で、正常系ＯＳＵ１５からの出力光と衝突しないように、予備系ＯＳＵ１５は発光ＯＦＦ状態となった上で、Ｎ×１光スイッチ１６の１側はＮＣポートと経路を確立しているとする。このような系において、正常時、正常系ＯＳＵ１５は光スイッチ１６を介さずにそれぞれ配下のＯＮＵ１７と通信を行う。正常系ＯＳＵ１５のＦＷ更新の際は、その正常系ＯＳＵ１５配下のＯＮＵ１７と予備系ＯＳＵ１５との経路が確立するよう、Ｎ×１光スイッチ１６の経路切替を行い、その正常系ＯＳＵ１５を発光ＯＦＦにするとともに予備系ＯＳＵ１５を発光ＯＮすることによって、該当ＯＮＵ１７は予備系ＯＳＵ１５との通信を開始できる。該当ＯＮＵ１７が予備系ＯＳＵ１５と通信を行っている間に、切替元の正常系ＯＳＵ１５のＦＷ更新を行うことにより、ＯＮＵ１７のサービス断なしにＯＳＵ１５のＦＷ更新が可能となる。
【００１４】
以上のように、ＯＳＵを冗長化した構成のＰＯＮシステムの下で映像配信サービスを行えば、ＯＳＵのＦＷ更新の際もサービス断を回避できる。
【００１５】
ＯＳＵ１５が、ＯＮＵ１７−ＯＳＵ１５間のマルチキャスト制御のためのテーブルを持つことを上述したが、集線スイッチ４０もＯＳＵ１５−集線スイッチ４０間のマルチキャスト制御のために、テーブルを持つ場合がある。この場合、集線スイッチ４０の有するテーブルでは、各ＯＳＵ１５とそれらＯＳＵ１５への配信チャネルの対応が記されている。そして、ＯＳＵ１５の有するテーブルと同様に、ＯＳＵ１５からの視聴要求や離脱要求の受信や、集線スイッチ４０からＯＳＵ１５へのＧｅｎｅｒａｌ  Ｑｕｅｒｙの送信に対する応答の有無を通して、集線スイッチ４０のテーブルは更新される。
【００１６】
このように、集線スイッチ４０もテーブルを備えた上で、ＯＳＵ１５を冗長化した構成のＰＯＮシステムにおける、ＯＳＵ１５のＦＷ更新のためのＯＳＵ切替を行う場合を考える（ここでは、Ｎ＝２の場合の図３の構成における、ＯＳＵ＃１からＯＳＵ＃３への切替とする）。ＯＳＵ＃１からＯＳＵ＃３への切替の際、集線スイッチ４０は、ＯＳＵ＃１配下のＯＮＵ１７の接続先ＯＳＵ１５がＯＳＵ＃３へ変わったことを認識し、このとき、集線スイッチ４０のテーブルも更新される。
【００１７】
例えば、切替前の正常時、ＯＳＵ＃１配下のＯＮＵ＃１およびＯＮＵ＃２が、Ｃｈ１およびＣｈ２をそれぞれ受信し、ＯＳＵ＃２配下のＯＮＵ＃３およびＯＮＵ＃４が共にＣｈ２を受信している場合における、集線スイッチ４０、ＯＳＵ＃１及びＯＳＵ＃３のテーブルを図４に示す。このように集線スイッチ４０がＯＳＵ＃１へＣｈ１およびＣｈ２を、ＯＳＵ＃２へＣｈ２を転送しているような配信状況において、ＯＳＵ＃１からＯＳＵ＃３へのＯＳＵ切替が完了したときの集線スイッチ４０およびＯＳＵ＃３のテーブルを図５に示す。
【００１８】
切替中に、ＯＮＵ＃１およびＯＮＵ＃２の収容先ＯＳＵ１５が、ＯＳＵ＃１からＯＳＵ＃３へ変更されたことにより、集線スイッチ４０からＯＳＵ＃１へのＣｈ１およびＣｈ２の配信は停止され、ＯＳＵ＃２へのＣｈ２の配信は継続され、ＯＳＵ＃３へのＣｈ１およびＣｈ２の配信が開始される。その結果、集線スイッチ４０のテーブルは図５のようになり、集線スイッチ４０はＯＳＵ切替直後からＣｈ１及びＣｈ２の配信をＯＳＵ＃３へ転送することができる。
【００１９】
しかしながら、ＯＳＵ＃３は切替前の正常時ではどのＯＮＵ１７とも通信していないため、ＯＳＵ＃３の切替前におけるテーブルは図４に示すように、全てのＯＮＵ１７に対して、いかなるマルチキャストフレームも転送しない状態（未登録状態とする）の内容となる。そして、ＯＳＵ切替中にＯＳＵ＃１の有するテーブル内容をＯＳＵ＃３へ引き継ぐような仕組みを実装させない限りは、ＯＳＵ＃３のテーブルは切替完了時においても切替前と全く同じ内容のままとなる。したがって、ＯＳＵ＃３は、ＯＳＵ切替後に集線スイッチ４０からＯＳＵ＃３へ送信されるＣｈ１及びＣｈ２を受信しても、配下のＯＮＵ＃１及び＃２へＣｈ１及びＣｈ２を配信しない。（＊ただし、ＯＳＵ切替後にＯＳＵ＃３が配下のＯＮＵ＃１及び＃２へＧｅｎｅｒａｌ  Ｑｕｅｒｙを送信することを通して自身のテーブルを最新状態に構築してからは、配下のＯＮＵ＃１及び＃２へのＣｈ１及びＣｈ２の配信を開始する。）この結果、それらＯＮＵ＃１及び＃２はＯＳＵ切替によって映像サービス断となってしまう。
【００２０】
さらに、ＯＳＵ＃３が切替後にＧｅｎｅｒａｌ  Ｑｕｅｒｙ送信を通して自身のテーブルを最新状態に構築する前に、集線スイッチ４０からのＧｅｎｅｒａｌ  Ｑｕｅｒｙを受信してしまうと、ＯＳＵ＃３は、その時の非配信状態のテーブルを基に応答を集線スイッチ４０へ返すため、Ｃｈ１およびＣｈ２の配信継続を通知できない。その結果、集線スイッチ４０からＯＳＵ＃３へのＣｈ１及びＣｈ２の送信すらも停止してしまう、といった課題があった。
【００２１】
なお、図５では、集線スイッチ４０のテーブルにおける切替元ＯＳＵ（ＯＳＵ＃１）に対するリストも切替中に更新したが、切替中に更新しなくてもよい。なぜなら、切替中に切替元ＯＳＵ１５に対するリストを更新せずに切替先ＯＳＵ１５に対するリストのみを更新する場合、集線スイッチ４０は同じチャネルのマルチキャストフレームを切替元ＯＳＵ１５および切替先ＯＳＵ１５へ送信してしまうが、上述のように図３の構成では切替元ＯＳＵ１５と切替先ＯＳＵ１５が同時に発光ＯＮの状態になることはないので、たとえ集線スイッチ４０が切替元ＯＳＵ１５と切替先ＯＳＵ１５へ同じマルチキャストフレームを送信しても、ＯＮＵ１７でそれらのマルチキャストフレームが衝突することはないからである。
【００２２】
以降の説明では、集線スイッチ４０のテーブルにおける切替元ＯＳＵ１５に対するリストは、切替中には更新しないこととする。
【先行技術文献】
【非特許文献】
【００２３】
【非特許文献１】ＩＥＥＥ  Ｓｔｄ  ８０２．３ａｈ，ＣＳＭＡ／ＣＤ  Ａｃｃｅｓｓ  Ｍｅｔｈｏｄ  ａｎｄ  Ｐｈｙｓｉｃａｌ  Ｌａｙｅｒ  Ｓｐｅｃｉｆｉｃａｔｉｏｎｓ，Ａｍｅｎｄｍｅｎｔ：Ｍｅｄｉａ  Ａｃｃｅｓｓ  Ｃｏｎｔｒｏｌ  Ｐａｒａｍｅｔｅｒｓ，Ｐｈｙｓｉｃａｌ  Ｌａｙｅｒｓ，ａｎｄ  Ｍａｎａｇｅｍｅｎｔ  Ｐａｒａｍｅｔｅｒｓ  ｆｏｒ  Ｓｕｂｓｃｒｉｂｅｒ  Ａｃｃｅｓｓ  Ｎｅｔｗｏｒｋｓ，ｐ．１８５−２３４，４２１−４７５
【非特許文献２】“５．８  Ｔｙｐｅ  Ｂ  ｗｉｔｈ  Ｎ：１”，ＩＴＵ−Ｔ  Ｓｅｒｉｅｓ  Ｇ  Ｓｕｐｐｌｅｍｅｎｔ  ５１，ｐ．１１−１２
【非特許文献３】ＩＴＵ−Ｔ  Ｇ．９８３．１，  ＳＥＲＩＥＳ  Ｇ：  ＴＲＡＮＳＭＩＳＳＩＯＮ  ＳＹＳＴＥＭＳ  ＡＮＤ  ＭＥＤＩＡ，  ＤＩＧＩＴＡＬ  ＳＹＳＴＥＭＳ  ＡＮＤ  ＮＥＴＷＯＲＫＳ，  Ｄｉｇｉｔａｌ  ｓｅｃｔｉｏｎｓ  ａｎｄ  ｄｉｇｉｔａｌ  ｌｉｎｅ  ｓｙｓｔｅｍ−Ｏｐｔｉｃａｌ  ｌｉｎｅ  ｓｙｓｔｅｍｓ  ｆｏｒ  ｌｏｃａｌ  ａｎｄ  ａｃｃｅｓｓ  ｎｅｔｗｏｒｋｓ， “ＩＶ．３．１  Ｃｏｎｆｉｇｕｒａｔｉｏｎ  ｅｘａｍｐｌｅｓ”，ｐ．１１９−１２１
【発明の概要】
【発明が解決しようとする課題】
【００２４】
本発明は、切替先ＯＳＵが切替元ＯＳＵから管理テーブルを引き継ぐ場合に比べ、ＯＳＵ切替処理時間を削減しつつ、切替元ＯＳＵ配下のＯＮＵに対するサービス断を回避することを目的とする。
【課題を解決するための手段】
【００２５】
本願発明の光通信システムは、ＯＳＵおよび集線スイッチがマルチキャストのプロキシ機能を持つＰＯＮシステムにおいて、ＯＳＵ切替時に、集線スイッチを切替後、切替先ＯＳＵへ配信すべき全てのチャネルを切替先ＯＳＵの管理テーブルの「ダミーＯＮＵ」欄にダミーＯＮＵの視聴状況として登録する。
【００２６】
具体的には、本願発明の光通信システムは、
複数のＯＳＵ（Ｏｐｔｉｃａｌ  Ｓｕｂｓｃｒｉｂｅｒ  Ｕｎｉｔ）と、
経路を切り替えることで前記ＯＳＵのいずれかと接続可能である少なくとも１のＯＮＵ（Ｏｐｔｉｃａｌ  Ｎｅｔｗｏｒｋ  Ｕｎｉｔ）と、
を備える光通信システムであって、
各ＯＳＵは、自己に接続されている各ＯＮＵの配信チャネルのリストを含むマルチキャストテーブル（以下、ＯＳＵテーブル）を備え、
前記ＯＳＵテーブルは、いずれのＯＳＵとも接続されていない仮のダミーＯＮＵの配信チャネルのリストを含む。
【００２７】
本願発明の光通信システムでは、
マルチキャスト配信するデータを、配信するＯＮＵに応じたＯＳＵへ振り分ける集線スイッチをさらに備え、
前記集線スイッチは、ＯＳＵに接続されている各ＯＮＵの配信するチャネルのリストをＯＳＵごとに格納するマルチキャストテーブル（以下、集線スイッチテーブル）を備え、
１の前記ＯＳＵ（以下、切替元ＯＳＵとする。）から他の前記ＯＳＵ（以下、切替先ＯＳＵとする。）へ経路を切り替える際に、前記集線スイッチテーブルの前記切替先ＯＳＵのチャネルのリストを前記切替元ＯＳＵのチャネルのリストから引き継ぐと供に、前記切替先ＯＳＵにおける前記ＯＳＵテーブル（以下、切替先ＯＳＵテーブル）のダミーＯＮＵに対するチャネルのリストを更新させるための更新指示を前記切替先ＯＳＵへ送信してもよい。
【００２８】
本願発明の光通信システムでは、
前記集線スイッチは、前記集線スイッチテーブルの前記切替先ＯＳＵの配信チャネルのリストを前記切替元ＯＳＵの配信チャネルのリストから引き継いだことを契機に、前記更新指示を前記切替先ＯＳＵへ送信し、
前記切替先ＯＳＵは、受信した前記更新指示に従って、前記切替先ＯＳＵテーブルの前記ダミーＯＮＵに対する配信チャネルのリストを更新し、ＯＮＵとの通信を開始してもよい。
【００２９】
本願発明の光通信システムでは、
前記集線スイッチは、前記更新指示を前記切替先ＯＳＵへ送信し、前記集線スイッチテーブルにおける前記切替先ＯＳＵの配信チャネルのリストを前記切替元ＯＳＵの配信チャネルのリストから引き継ぎが完了すると登録完了通知を発行し、
前記切替先ＯＳＵは、前記集線スイッチから受信した前記更新指示に従って、前記切替先ＯＳＵテーブルの前記ダミーＯＮＵに対する配信チャネルのリストを更新し、前記集線スイッチからの前記登録完了通知の発行を契機にＯＮＵとの通信を開始してもよい。
【００３０】
本願発明の光通信システムでは、
前記集線スイッチは、前記集線スイッチテーブルの前記切替先ＯＳＵの配信チャネルのリストを前記切替元ＯＳＵの配信チャネルのリストから引き継ぎ開始後、前記更新指示を前記切替先ＯＳＵへ送信し、前記集線スイッチテーブルにおける前記切替先ＯＳＵの配信チャネルのリストを前記切替元ＯＳＵの配信チャネルのリストから引き継ぎが完了すると登録完了通知を発行し、
前記切替先ＯＳＵは、受信した前記更新指示に従って、前記切替先ＯＳＵテーブルの前記ダミーＯＮＵの配信チャネルのリストを更新し、前記切替先ＯＳＵテーブルの更新及び前記集線スイッチからの前記登録完了通知の発行が共に完了したことを契機にＯＮＵとの通信を開始してもよい。
【００３１】
具体的には、本願発明のＯＳＵは、
複数のＯＳＵ（Ｏｐｔｉｃａｌ  Ｓｕｂｓｃｒｉｂｅｒ  Ｕｎｉｔ）と、
経路を切り替えることで前記ＯＳＵのいずれかと接続可能である少なくとも１のＯＮＵ（Ｏｐｔｉｃａｌ  Ｎｅｔｗｏｒｋ  Ｕｎｉｔ）と、
を備える光通信システムの前記ＯＳＵであって、
自己に接続されている各ＯＮＵの配信チャネルのリストを含むマルチキャストテーブル（以下、ＯＳＵテーブル）を備え、
前記ＯＳＵテーブルは、いずれのＯＳＵとも接続されていない仮のダミーＯＮＵの配信チャネルのリストを含む。
【００３２】
具体的には、本願発明の集線スイッチは、
複数のＯＳＵ（Ｏｐｔｉｃａｌ  Ｓｕｂｓｃｒｉｂｅｒ  Ｕｎｉｔ）と、
経路を切り替えることで前記ＯＳＵのいずれかと接続可能である少なくとも１のＯＮＵ（Ｏｐｔｉｃａｌ  Ｎｅｔｗｏｒｋ  Ｕｎｉｔ）と、
マルチキャスト配信するデータを、配信するＯＮＵに応じたＯＳＵへ振り分ける集線スイッチと、
を備える光通信システムの前記集線スイッチであって、
ＯＳＵに接続されている各ＯＮＵの配信するチャネルのリストをＯＳＵごとに格納するマルチキャストテーブル（以下、集線スイッチテーブル）を備え、
１の前記ＯＳＵ（以下、切替元ＯＳＵとする。）から他の前記ＯＳＵ（以下、切替先ＯＳＵとする。）へ経路を切り替える際に、前記集線スイッチテーブルの前記切替先ＯＳＵのチャネルのリストを前記切替元ＯＳＵのチャネルのリストから引き継ぐと供に、前記切替先ＯＳＵにおける前記ＯＳＵテーブル（以下、切替先ＯＳＵテーブル）のダミーＯＮＵに対するチャネルのリストを更新させるための更新指示を前記切替先ＯＳＵへ送信する。
【００３３】
なお、上記各発明は、可能な限り組み合わせることができる。
【発明の効果】
【００３４】
本発明によれば、切替先ＯＳＵが切替元ＯＳＵから管理テーブルを引き継ぐ場合に比べ、ＯＳＵ切替処理時間を削減しつつ、切替元ＯＳＵ配下のＯＮＵに対するサービス断を回避することができる。
【図面の簡単な説明】
【００３５】
【図１】ＰＯＮシステムの一例を示す。
【図２】マルチキャスト配信を行う際のネットワーク構成の一例を示す。
【図３】Ｎ：１プロテクションの構成例を示す。
【図４】Ｎ：１プロテクションにおいてＯＳＵ及び集線スイッチの備えるテーブルの一例を示す。
【図５】ＯＮＵの収容先ＯＳＵが切り替えられた場合のＯＳＵ及び集線スイッチの備えるテーブルの一例を示す。
【図６】実施形態１に係るＯＬＴの構成の一例を示す。
【図７】実施形態１におけるタイミングチャートの一例を示す。
【図８】経路切り替え前における集線スイッチの管理テーブルの一例を示す。
【図９】経路切り替え前におけるＯＳＵ＃３の管理テーブルの一例を示す。
【図１０】経路切り替え後における集線スイッチの管理テーブルの一例を示す。
【図１１】経路切り替え後におけるＯＳＵ＃３の管理テーブルの一例を示す。
【図１２】実施形態２におけるタイミングチャートの一例を示す。
【図１３】実施形態３におけるタイミングチャートの一例を示す。
【発明を実施するための形態】
【００３６】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００３７】
各ＯＳＵ１５のテーブルに、どのＯＳＵ１５配下にも存在しない実態のないＯＮＵ１７として「ダミーＯＮＵ」に対するリストを設けておく。そしてＯＳＵ切替の際、集線スイッチ４０が切替元ＯＳＵ１５へ転送していた全チャネルを、切替先ＯＳＵ１５のテーブルのダミーＯＮＵ１７に対するリストに、配信中のチャネルとして登録する。この結果、切替先ＯＳＵ１５のテーブルでは、ダミーＯＮＵ１７以外の全てのＯＮＵ１７に対しては、切替前と同様に未登録状態であるものの、ダミーＯＮＵ１７に対しては、切替前に切替元ＯＳＵ１５配下の全てのＯＮＵ１７へ配信していた全てのチャネルを配信中の状態となる。したがって切替先ＯＳＵ１５は、集線スイッチ４０から送信されるそれら切替元ＯＳＵ１５配下のＯＮＵ１７へ配信していたチャネルを受信しても、破棄することなく配下のＯＮＵ１７へ転送でき、切替元ＯＳＵ１５の配下で視聴していたＯＮＵ１７は映像サービス断を回避できる。
【００３８】
また、切替先ＯＳＵ１５のテーブルのダミーＯＮＵ１７に対するリストが登録された状態のときに、切替先ＯＳＵ１５が集線スイッチ４０からのＧｅｎｅｒａｌ  Ｑｕｅｒｙを受信しても、切替先ＯＳＵ１５は自身のテーブルのダミーＯＮＵ１７に対するリストの視聴状況に基づき、該当チャネルの配信継続の希望を集線スイッチ４０へ返答することができる。したがって、集線スイッチ４０から切替先ＯＳＵ１５への配信停止を回避できる。
【００３９】
また、切替元ＯＳＵ１５の有するテーブル内容（ＯＮＵ１７毎の視聴ＣＨ）を切替先ＯＳＵ１５へ引き継ぐ場合と比較すると、ダミーＯＮＵ１７に対するリストを登録すればよく、テーブルの引き継ぎ量を削減できるため、ＯＳＵ切替処理時間を削減できる。
【００４０】
（実施形態１）
図６に、本実施形態に係るＯＬＴ１４の構成の一例を示す。実施形態１に係るＯＬＴ１４では、少なくとも予備系ＯＳＵ１５を１台含む、合計（Ｎ＋１）台のＯＳＵ１５と、１個のＣＯＮＴ２０と、１個の集線スイッチ４０をそれぞれ備える。各ＯＳＵ１５は、ＰＯＮ−ＩＦ５４とマルチキャスト信号処理部５３とマルチキャスト制御部５２とＯＮＵ単位の管理テーブル（ＯＳＵテーブル）５１をそれぞれ備える。集線スイッチ４０は、マルチキャスト信号処理部４３とマルチキャスト制御部４２とＯＳＵ単位の管理テーブル（集線スイッチテーブル）４１を備える。その他の、説明に不要な構成は省略する。
【００４１】
本構成のＯＬＴ１４は、マルチキャストによる映像配信サービスを利用するホストの存在下における、ＯＳＵ１５を冗長化したＰＯＮプロテクションシステムに適用することを想定している。ＯＳＵ１５を冗長化したＰＯＮプロテクションシステムとして例えば、非特許文献３記載のＴｙｐｅ  Ｂ構成や、図３に示すＮ：１構成などが考えられる。ここで、Ｔｙｐｅ  Ｂ構成および図３のＮ：１構成では、正常系ＯＳＵ１５と予備系ＯＳＵ１５の下り光が光カプラ１８下位で衝突するのを回避するため、予備系ＯＳＵ１５は正常時、発光ＯＦＦ状態であることが望ましく、本発明でも予備系ＯＳＵ１５は正常時、発光ＯＦＦ状態とする。これらのようなＯＳＵ１５を冗長化したＰＯＮプロテクションシステムにおいて、正常系ＯＳＵ１５のＦＷ更新を行う際に、該当の正常系ＯＳＵ１５から予備系ＯＳＵ１５へ切り替え、正常系ＯＳＵ１５のＦＷ更新中の間、切替元ＯＳＵ１５配下のＯＮＵ１７との通信を予備系ＯＳＵ１５が肩代わりすることによって、映像配信サービス断なしにＯＳＵ１５のＦＷを更新することを目的としている。ここではマルチキャストに関わる内容を中心に説明・図示するが、本ＯＬＴ１４を適用したＰＯＮプロテクションシステムでは、上記以外の機能ブロック等の働きによりＰＯＮプロテクション本来の目的であるＯＳＵ１５故障時にも、もちろん対応可能である。また、集線スイッチ４０やＣＯＮＴ２０の故障に備えてこれらを二重化したり、集線スイッチ４０を外付けしたりするＯＬＴ１４構成も考えられる。
以下、各々の機能ブロックの動作について述べる。
【００４２】
ＯＳＵ１５の各機能ブロックについて述べる。
ＯＳＵ１５の管理テーブル５１は、配下のＯＮＵ１７と視聴中のチャネルの対応を記した一覧表である。ただし、本管理テーブル５１は、本ＯＬＴ１４配下に存在しないダミーＯＮＵ１７に対するリストを備える。管理テーブル５１は、同ＯＳＵ１５内のマルチキャスト制御部５２からの更新指示に従って管理テーブル５１を更新する。また、そのマルチキャスト制御部５２から管理テーブル５１の内容の取得要請があった場合は、その時のテーブル内容をそのマルチキャスト制御部５２へ通知する。
【００４３】
ＰＯＮ−ＩＦ５４は、同ＯＳＵ１５内のマルチキャスト信号処理部５３からの電気信号のマルチキャストフレームを受信し、光信号に変換してからＰＯＮ−ＩＦ５４外部（ＯＮＵ側）へ出力する。また、同ＯＳＵ１５内のマルチキャスト制御部５２からの発光ＯＮ／ＯＦＦ指示を受信し、その指示に従って発光状態から発光を停止したり、発光停止状態から発光を開始したりする。
【００４４】
マルチキャスト信号処理部５３は、集線スイッチ４０からのマルチキャストフレームおよびＧｅｎｅｒａｌ  Ｑｕｅｒｙを受信する。前者を受信の場合、そのマルチキャストフレームが同ＯＳＵ１５の管理テーブル５１において任意のいずれかのＯＮＵ１７に配信中として記載されていれば、受信したマルチキャストフレームにブロードキャストアドレスを付与してからＰＯＮ−ＩＦ５４へ送信する。記載されていなければ、受信したマルチキャストフレームを破棄する。後者を受信の場合、その旨を同ＯＳＵ１５のマルチキャスト制御部５２へ通知する。同ＯＳＵ１５内のマルチキャスト制御部５２からＧｅｎｅｒａｌ  Ｑｕｅｒｙに対する応答指示を受信したら、その内容に従った応答を集線スイッチ４０へ送信する。ここで、Ｇｅｎｅｒａｌ  Ｑｕｅｒｙに対する応答とは、そのＧｅｎｅｒａｌ  Ｑｕｅｒｙを受信したＯＳＵ１５の管理テーブル５１に基づく、配下のＯＮＵ１７へ配信中のチャネルを集線スイッチ４０へ知らせるためのメッセージであり、例えばＭＬＤにおけるＭｕｌｔｉｃａｓｔ  ｌｉｓｔｅｎｅｒ  ｒｅｐｏｒｔに相当するものである。
【００４５】
マルチキャスト制御部５２は、同ＯＳＵ１５内のマルチキャスト信号処理部５３からＧｅｎｅｒａｌ  Ｑｕｅｒｙ受信通知を受信した場合、同ＯＳＵ１５内の管理テーブル５１から現在のテーブル内容を取得し、その内容から現在配下のＯＮＵ１７へ配信中のチャネルを把握し、そのチャネル番号を集線スイッチ４０へ応答するよう、同ＯＳＵ１５内のマルチキャスト信号処理部５３へ指示する。
【００４６】
また、集線スイッチ４０からダミーＯＮＵ１７に対するリストの登録用のテーブル情報を受信した場合、マルチキャスト制御部５２は、同ＯＳＵ１５内の管理テーブル５１へ、ダミーＯＮＵ１７に対するリストへその内容を登録するよう、テーブル更新指示を出す。そして、ダミーＯＮＵ１７に対するリストへの登録が完了したら、その旨の登録完了通知をＣＯＮＴ２０へ送信する。
さらに、ＣＯＮＴ２０からの発光ＯＮ／ＯＦＦ指示を受信した場合、同ＯＳＵ１５内のＰＯＮ−ＩＦ５４へ、その内容のとおりに発光開始または発光停止を指示する。
【００４７】
次に、集線スイッチ４０の機能ブロックについて述べる。
集線スイッチ４０の管理テーブル４１は、ＯＳＵ１５の管理テーブル５１がＯＮＵ１７単位に配信チャネルの対応を記した一覧表であるのに対し、ＯＳＵ１５単位に配信チャネルの対応を記した一覧表である。ただし、ダミーＯＮＵ１７に対するリストのように、実在しないＯＳＵ１５に対するリストを備える必要はない。集線スイッチ４０の管理テーブル４１は、集線スイッチ４０のマルチキャスト制御部４２からの更新指示に従って管理テーブル４１を更新する。また、そのマルチキャスト制御部４２からテーブル内容の取得要請があった場合は、その時のテーブル内容をそのマルチキャスト制御部４２へ通知する。
【００４８】
マルチキャスト信号処理部４３は、ＯＬＴ１４上位から受信したマルチキャストフレームを受信し、集線スイッチ４０の管理テーブル４１にしたがって、そのマルチキャストフレームを配信中（または要求中）のＯＳＵ１５があればそのＯＳＵ１５へそのマルチキャストフレームを転送し、配信中（または要求中）のＯＳＵ１５がなければそのマルチキャストフレームを破棄する。
【００４９】
また、マルチキャスト信号処理部４３は、集線スイッチ４０のマルチキャスト制御部４２からの指示にしたがって、配下の全ＯＳＵ１５へＧｅｎｅｒａｌ  Ｑｕｅｒｙを送信する。Ｇｅｎｅｒａｌ  Ｑｕｅｒｙに対する応答を配下のＯＳＵ１５から受信した場合は、その内容を集線スイッチ４０のマルチキャスト制御部４２へ通知する。
【００５０】
マルチキャスト制御部４２は、集線スイッチ４０のマルチキャスト信号処理部４３からのＧｅｎｅｒａｌ  Ｑｕｅｒｙ応答通知やＣＯＮＴ２０からの切替ＯＳＵ情報（切替元ＯＳＵと切替先ＯＳＵの番号）を受信する。前者を受信した場合、その内容のとおりに、ＯＳＵ１５へ配信中のチャネルを登録するよう、集線スイッチ４０の管理テーブル４１へテーブル更新指示を出す。後者を受信した場合、それまで切替元ＯＳＵ１５へ配信していたチャネルを切替先ＯＳＵ１５へ変更するために、集線スイッチ４０の管理テーブル４１へテーブル更新指示を出す。また、切替ＯＳＵ情報の受信にもとづくテーブル更新が終わったときに、マルチキャスト制御部４２はＣＯＮＴ２０へ登録完了通知を出すことができる。
【００５１】
マルチキャスト制御部４２は管理テーブル４１からテーブル内容を取得し、その内容を基に、集線スイッチ４０のマルチキャスト信号処理部４３がＯＬＴ１４上位から受信したマルチキャストフレームを適切にＯＳＵ１５へ振り分けるよう、制御する。さらに、取得したテーブル内容を、ＣＯＮＴ２０から指定された切替先ＯＳＵ１５の管理テーブル５１のダミーＯＮＵ１７に対するリストに登録させるために、そのＯＳＵ１５のマルチキャスト制御部５２へダミーＯＮＵ登録用のテーブル情報を通知する。
【００５２】
最後にＣＯＮＴ２０は、切替コマンドの入力をとおして把握する切替元ＯＳＵ１５と切替先ＯＳＵ１５の番号を、集線スイッチ４０のマルチキャスト制御部４２へ通知する。また、集線スイッチ４０のマルチキャスト制御部４２からの登録完了通知やＯＳＵ１５のマルチキャスト制御部５２からの登録完了通知を受信し、これらの受信を契機に発光ＯＮ／ＯＦＦ指示をＯＳＵ１５のマルチキャスト制御部５２へ送信する。
【００５３】
以上のような動作の機能ブロックからなるＯＬＴ１４を、ＯＳＵ１５を冗長化したＰＯＮプロテクションのシステムに適用することで、ＯＳＵ切替に伴うＯＮＵ１７の映像サービス断を回避できる。
【００５４】
図７に、本ＯＬＴ１４を用いてＯＳＵ１５を冗長化したＰＯＮシステムにおける、オペレーション操作によるＯＳＵ切替手順を示す。ここでは図４の系への適用を想定し、正常時の視聴状況も図４の通りとする。
【００５５】
このような系において、ＯＳＵ＃１（切替元ＯＳＵ）からＯＳＵ＃３（切替先ＯＳＵ）へ切り替える場合、まず、ＣＯＮＴ２０にこれらのＯＳＵ１５を指定した切替コマンドを投入する。これにより、ＣＯＮＴ２０から集線スイッチ４０へ、切替ＯＳＵ情報としてＯＳＵ＃１が切替元、ＯＳＵ＃３が切替先であることが通知されるので、集線スイッチ４０は自身のＯＳＵ単位の管理テーブル４１を図８から図１０のように更新する。
【００５６】
集線スイッチ４０はテーブルの更新が完了すると、ＯＳＵ＃３の管理テーブル５１のダミーＯＮＵ１７に対するリストにＣｈ１およびＣｈ２を登録するよう、ダミーＯＮＵ１７に対するリスト登録用テーブル情報を通知する。その通知を受信したＯＳＵ＃３は、ダミーＯＮＵ１７に対するリストを登録し、図９から図１１のように自身の管理テーブル５１を更新したら、ダミーＯＮＵ１７に対するリストの登録が完了した旨をＣＯＮＴ２０へ通知する。ＣＯＮＴ２０はＯＳＵ＃３からのダミーＯＮＵ１７に対するリスト登録完了通知の受信をもって、
・ＯＳＵ＃３がＣｈ１およびＣｈ２を配下のＯＮＵ１７へ配信可能であること、
・集線スイッチ４０がＯＳＵ＃３へＧｅｎｅｒａｌ  Ｑｕｅｒｙを送信しても、Ｃｈ１およびＣｈ２の配信停止にはならないこと、
を判断し、ＯＳＵ切替を行うため、ＯＳＵ＃１へ発光ＯＦＦ指示を、ＯＳＵ＃３へ発光ＯＮ指示を送信する。発光ＯＦＦ指示を受信したＯＳＵ＃１は発光を停止する。発光ＯＮ指示を受信したＯＳＵ＃３は発光を開始し、集線スイッチ４０から送信されるＣｈ１およびＣｈ２のマルチキャストフレームを、新たに配下となったＯＮＵ１７（ＯＮＵ１、２）へ向けて送信する。
【００５７】
以上のように、集線スイッチ４０の管理テーブル４１における切替先ＯＳＵ１５に対するリストを更新後に、切替先ＯＳＵ１５の管理テーブル５１におけるダミーＯＮＵ１７に対するリストを更新するＯＳＵ切替手順によって、映像サービス断なしにＯＳＵ切替を完了できる。
【００５８】
ここで、集線スイッチ４０が自身の管理テーブル４１における切替先ＯＳＵ１５に対するリストに登録したチャネルを切替先ＯＳＵ１５へ配信し始めてから、切替先ＯＳＵ１５がダミーＯＮＵ１７に対するリストを登録する前の間に、集線スイッチ４０が切替先ＯＳＵ１５へＧｅｎｅｒａｌ  Ｑｕｅｒｙを送信した場合を考える。上述のように、Ｇｅｎｅｒａｌ  Ｑｕｅｒｙを受信した切替先ＯＳＵ１５が、ダミーＯＮＵ１７に対するリストを登録する前の、未登録状態のテーブル内容にもとづいて集線スイッチ４０へ応答してしまうと、集線スイッチ４０は切替先ＯＳＵ１５への配信を停止してしまう。このような場合に備えて、以下の動作をすることが望ましい。
【００５９】
動作１：集線スイッチ４０は自身の管理テーブル４１の切替先ＯＳＵ１５に対するリストを更新完了後、直ちに集線スイッチ４０へダミーＯＮＵ１７に対するリストの登録用テーブル情報を通知する
動作２：切替先ＯＳＵ１５はダミーＯＮＵ１７に対するリストを登録中に集線スイッチ４０からのＧｅｎｅｒａｌ  Ｑｕｅｒｙを受信した場合、ダミーＯＮＵ１７に対するリストの登録完了を待ってから、その更新済みの管理テーブル５１に基づいて集線スイッチ４０へ応答する
【００６０】
このような方法によって、ダミーＯＮＵ１７に対するリストの登録前に集線スイッチ４０が切替先ＯＳＵ１５へＧｅｎｅｒａｌ  Ｑｕｅｒｙを送信しても、集線スイッチ４０は切替先ＯＳＵ１５への配信を停止することはなく、したがってＯＳＵ切替に伴う映像サービス断を回避できる。
【００６１】
また、ＯＳＵ切替後、切替先ＯＳＵ１５の管理テーブル５１は、配下のＯＮＵ１７に接続したホストからの視聴／離脱要求や、切替先ＯＳＵ１５から配下のＯＮＵ１７へ向かって送信するＧｅｎｅｒａｌ  Ｑｕｅｒｙに対する応答に応じて、更新されることによって、定常状態に戻る。なお、ダミーＯＮＵ１７はＧｅｎｅｒａｌ  Ｑｕｅｒｙに対して応答しないので、ダミーＯＮＵ１７に対するリストは、ＯＳＵ切替後しばらくすると、すべて視聴なしの状態となる。
【００６２】
（実施形態２）
実施形態１におけるＯＳＵ切替手順は、
１．集線スイッチ４０の管理テーブル４１（切替先ＯＳＵに対するリスト）更新
２．切替先ＯＳＵ１５の管理テーブル５１（ダミーＯＮＵに対するリスト）更新
という順序であったが、この順序を逆にしても問題ない。図１２に、本実施形態における、先に切替先ＯＳＵ１５の管理テーブル５１を更新してから集線スイッチ４０の管理テーブル４１を更新するＯＳＵ切替手順を示す。
【００６３】
ＣＯＮＴ２０に切替コマンドを投入すると、集線スイッチ４０へ切替ＯＳＵ情報が通知され、それを受信した集線スイッチ４０は、自身の管理テーブル４１における切替先ＯＳＵ１５に対するリストを更新する前に、切替先ＯＳＵ１５へダミーＯＮＵ１７に対するリスト登録用テーブル情報を通知する。ここで、実施形態１ではダミーＯＮＵ１７に対するリスト登録用テーブル情報を通知するとき集線スイッチ４０の管理テーブル４１は更新済みであったため、ダミーＯＮＵ１７に対するリスト登録用テーブル情報の内容は更新済みの集線スイッチ４０の管理テーブル４１における、切替先ＯＳＵ１５に対するリストの配信中のチャネル番号であったが、本実施形態ではダミーＯＮＵ１７に対するリストの登録用テーブル情報を通知するとき集線スイッチ４０の管理テーブル４１は更新前であるため、ダミーＯＮＵ１７に対するリストの登録用テーブル情報の内容は、更新前の集線スイッチ４０の管理テーブル４１における、切替元ＯＳＵ１５に対するリストの配信中のチャネル番号となる。
【００６４】
切替先ＯＳＵ１５がダミーＯＮＵ１７に対するリストの登録を完了すると、ダミーＯＮＵ１７に対するリスト登録完了通知をＣＯＮＴ２０へ通知し、ＣＯＮＴ２０はそれを受けて集線スイッチ４０へ、管理テーブル４１の切替先ＯＳＵ１５に対するリストを更新するよう、指示する。なお、切替先ＯＳＵ１５はダミーＯＮＵ１７に対するリスト登録完了通知を、集線スイッチ４０へ直接通知し、集線スイッチ４０がその通知の受信を契機に自身の管理テーブル４１の切替先ＯＳＵ１５に対するリストの更新を開始しても良い。
【００６５】
集線スイッチ４０は自身の管理テーブル４１の切替先ＯＳＵ１５に対するリストを更新すると、登録完了通知をＣＯＮＴ２０へ送信し、ＣＯＮＴ２０はこの通知の受信をもって、実施形態１と同様にＯＳＵ切替を行っても良いと判断し、発光ＯＮ／ＯＦＦ指示を切替先ＯＳＵ／切替元ＯＳＵへそれぞれ送信すればよい。
【００６６】
以上のように、切替先ＯＳＵ１５の管理テーブル５１におけるダミーＯＮＵ１７に対するリストを更新後に、集線スイッチ４０の管理テーブル４１における切替先ＯＳＵ１５に対するリストを更新するＯＳＵ切替手順によっても、映像サービス断なしにＯＳＵ切替を完了できる。ただし図１２のＯＳＵ切替手順を採用する場合、図６のＯＬＴ１４の構成において、ＣＯＮＴ２０から集線スイッチ４０のマルチキャスト制御部４２へ通知するメッセージとして、切替ＯＳＵ情報通知とは別に、集線スイッチ４０の管理テーブル４１の更新のみを指示する、テーブル更新指示が追加される。
【００６７】
（実施形態３）
実施形態１、２では、集線スイッチ４０の管理テーブル４１の切替先ＯＳＵ１５に対するリストまたは切替先ＯＳＵ１５の管理テーブル５１のダミーＯＮＵ１７に対するリストのどちらかを更新してから他方のテーブルを更新するＯＳＵ切替手順を示した。本実施形態では、両テーブルの更新を並行して行うＯＳＵ切替手順を図１３に示す。
【００６８】
集線スイッチ４０はＣＯＮＴ２０から切替ＯＳＵ情報を受信すると、自身の管理テーブル４１の切替先ＯＳＵ１５に対するリストの更新を開始するとともに、切替先ＯＳＵ１５へダミーＯＮＵ１７に対するリスト登録用テーブル情報を通知する。集線スイッチ４０および切替先ＯＳＵ１５にてそれぞれのテーブルの更新が終わった際にＣＯＮＴ２０へ通知される登録完了通知を、ＣＯＮＴ２０が二つとも受信したときを契機に、ＣＯＮＴ２０は発光ＯＮ／ＯＦＦ指示を切替先ＯＳＵ１５／切替元ＯＳＵ１５へ送信すればよい。
【００６９】
以上のように、切替先ＯＳＵ１５の管理テーブル５１におけるダミーＯＮＵ１７に対するリストの更新作業と集線スイッチ４０の管理テーブル４１における切替先ＯＳＵ１５に対するリストの更新作業を並行して行うＯＳＵ切替手順によっても、映像サービス断なしにＯＳＵ切替を完了できる。
【００７０】
なお、本実施形態においても、切替先ＯＳＵ１５におけるダミーＯＮＵ１７に対するリストの登録前に集線スイッチ４０がＧｅｎｅｒａｌ  Ｑｕｅｒｙを切替先ＯＳＵ１５へ送信する場合に備え、実施形態１に記載の動作２を満足することが望ましい。
【産業上の利用可能性】
【００７１】
本発明は情報通信産業に適用することができる。
【符号の説明】
【００７２】
１０：光伝送路
１１：ＰＯＮ
１２：Ｌ２ＳＷ
１３：コアネットワーク
１４：ＯＬＴ
１５：ＯＳＵ
１６：Ｎ×１光スイッチ
１７：ＯＮＵ
１８：光カプラ
１９：光ファイバ
２０：制御盤（ＣＯＮＴ）
２１：ユーザ端末（ホスト）
３１：マルチキャストルータ
３２：映像配信サーバ
４０：集線スイッチ
４１、５１：管理テーブル
４２、５２：マルチキャスト制御部
４３、５３：マルチキャスト信号処理部
５４：ＰＯＮ−ＩＦ
【図１】
2015073194.tif 000003
【図２】
2015073194.tif 000004
【図３】
2015073194.tif 000005
【図４】
2015073194.tif 000006
【図５】
2015073194.tif 000007
【図６】
2015073194.tif 000008
【図７】
2015073194.tif 000009
【図８】
2015073194.tif 000010
【図９】
2015073194.tif 000011
【図１０】
2015073194.tif 000012
【図１１】
2015073194.tif 000013
【図１２】
2015073194.tif 000014
【図１３】
2015073194.tif 000015